(57)【要約】【課題】本発明は、点灯装置の出力電流にリプル電流が重畳することを抑制できる点灯装置、照明器具、及び点灯装置の制御方法を提供することを目的とする。【解決手段】整流回路と、ＰＦＣ回路と、スイッチング素子を有し該ＰＦＣ回路の出力を予め定められた電流値に変換する電流制御回路と、該スイッチング素子を制御する制御部と、を備え、該制御部は、該電流制御回路の出力電流を検出し該出力電流を予め定められた目標電流にフィードバック制御する第１制御量を算出する演算部と、フィードフォワード制御で該ＰＦＣ回路の出力電圧の脈動に起因する該出力電流の変動を抑制する第２制御量を算出する補正部と、該第１制御量と該第２制御量との乗算結果を出力する乗算部と、を備え、該制御部は該乗算結果に応じて該スイッチング素子の導通時間を変化させることを特徴とする。【選択図】図１
2020173913.tif 000002
【特許請求の範囲】
【請求項１】
交流電力を整流する整流回路と、
高調波を抑制して力率を改善するＰＦＣ回路と、
スイッチング素子を有し、前記ＰＦＣ回路の出力を予め定められた電流値に変換する電流制御回路と、
前記スイッチング素子を制御する制御部と、を備え、
前記制御部は、
前記電流制御回路の出力電流を検出し、前記出力電流を予め定められた目標電流にフィードバック制御する第１制御量を算出する演算部と、
フィードフォワード制御で前記ＰＦＣ回路の出力電圧の脈動に起因する前記出力電流の変動を抑制する第２制御量を算出する補正部と、
前記第１制御量と前記第２制御量との乗算結果を出力する乗算部と、を備え、
前記制御部は前記乗算結果に応じて前記スイッチング素子の導通時間を変化させることを特徴とする点灯装置。
【請求項２】
前記補正部は、前記出力電圧の瞬時値が前記出力電圧の平均値よりも高い場合に、直前の制御と比べて前記スイッチング素子の導通時間を短くする前記第２制御量を算出することを特徴とする請求項１に記載の点灯装置。
【請求項３】
前記補正部は、前記出力電圧の瞬時値が前記出力電圧の平均値よりも低い場合に、直前の制御と比べて前記スイッチング素子の導通時間を長くする前記第２制御量を算出することを特徴とする請求項１又は２に記載の点灯装置。
【請求項４】
前記補正部は、前記出力電圧の平均値として、前記出力電圧の目標値を使用することを特徴とする請求項１から３のいずれか１項に記載の点灯装置。
【請求項５】
前記補正部は、前記交流電力の大きさに応じて前記第２制御量を変化させることを特徴とする請求項１から４のいずれか１項に記載の点灯装置。
【請求項６】
前記補正部は、前記交流電力が低いほど前記第２制御量を大きくすることを特徴とする請求項５に記載の点灯装置。
【請求項７】
前記スイッチング素子の導通時間が前記制御部によって制御された結果、前記出力電圧の脈動最大値となるタイミングと、前記スイッチング素子の導通時間が最小となるタイミングが一致することを特徴とする請求項１から６のいずれか１項に記載の点灯装置。
【請求項８】
前記スイッチング素子の導通時間が前記制御部によって制御された結果、前記出力電圧の脈動最小値となるタイミングと、前記スイッチング素子の導通時間が最大となるタイミングが一致することを特徴とする請求項１から７のいずれか１項に記載の点灯装置。
【請求項９】
前記整流回路と前記ＰＦＣ回路を同期整流回路で構成したことを特徴とする請求項１から８のいずれか１項に記載の点灯装置。
【請求項１０】
前記ＰＦＣ回路と前記電流制御回路を直流変換回路で構成したことを特徴とする請求項１から８のいずれか１項に記載の点灯装置。
【請求項１１】
前記スイッチング素子はワイドバンドギャップ半導体によって形成されていることを特徴とする請求項１から１０のいずれか１項に記載の点灯装置。
【請求項１２】
前記ワイドバンドギャップ半導体は、炭化珪素、窒化ガリウム系材料又はダイヤモンドであることを特徴とする請求項１１に記載の点灯装置。
【請求項１３】
交流電力を整流する整流回路と、
高調波を抑制して力率を改善するＰＦＣ回路と、
スイッチング素子を有し、前記ＰＦＣ回路の出力を予め定められた電流値に変換する電流制御回路と、
前記スイッチング素子を制御する制御部と、を備え、
前記制御部は、
前記電流制御回路の出力電流を検出し、前記出力電流を予め定められた目標電流にフィードバック制御する第１制御量を算出する演算部と、
フィードフォワード制御で前記ＰＦＣ回路の出力電圧の脈動に起因する前記出力電流の変動を抑制する第２制御量を算出する補正部と、
前記第１制御量と前記第２制御量との乗算結果を出力する乗算部と、を備え、
前記制御部は前記乗算結果に応じて前記スイッチング素子の導通時間を変化させる点灯装置と、
前記点灯装置が点灯させる光源と、を備えたことを特徴とする照明器具。
【請求項１４】
前記光源は、前記点灯装置に接続されたＬＥＤ又は有機ＥＬであることを特徴とする請求項１３に記載の照明器具。
【請求項１５】
スイッチング素子を有しＰＦＣ回路の出力を予め定められた電流値に変換する電流制御回路の出力電流を検知することと、
前記出力電流を予め定められた目標電流にフィードバック制御する第１制御量を算出することと、
フィードフォワード制御で、整流回路に接続された前記ＰＦＣ回路の出力電圧の脈動に起因する前記出力電流の変動を抑制する第２制御量を算出することと、
前記第１制御量と前記第２制御量との乗算結果に応じて前記スイッチング素子の導通時間を変化させることと、を備えた点灯装置の制御方法。
【請求項１６】
前記出力電圧の瞬時値が前記出力電圧の平均値よりも高い場合に直前の制御と比べて前記スイッチング素子の導通時間を短くする前記第２制御量を算出し、
前記出力電圧の瞬時値が前記出力電圧の平均値よりも低い場合に直前の制御と比べて前記スイッチング素子の導通時間を長くする前記第２制御量を算出することを備えた請求項１５に記載の点灯装置の制御方法。
【請求項１７】
前記整流回路に入力される交流電力が低いほど、前記出力電圧の瞬時値と前記出力電圧の平均値の差分に大きい係数を乗じて前記第２制御量を大きくすることを備えた請求項１５又は１６に記載の点灯装置の制御方法。
【請求項１８】
前記出力電流によって光源を点灯させることと、
前記第１制御量だけに基づいて前記スイッチング素子の導通時間を変化させた場合と比べて、前記出力電流の平均値を前記光源の最大定格電流に近づけたことを備えた請求項１５から１７のいずれか１項に記載の点灯装置の制御方法。
【発明の詳細な説明】
【技術分野】
【０００１】
本発明は、点灯装置、照明器具、及び点灯装置の制御方法に関する。
【背景技術】
【０００２】
ＬＥＤ(Light Emitting Diode)を光源とした照明器具においては、交流の商用電源から入力されるエネルギーを直流のエネルギーに変換しＬＥＤに出力する必要がある。また、入力電流の高調波に関する規制が定められており、日本国内においては日本工業規格によって入力電流の高調波に対して限度値が定められている。そのため、点灯装置は、入力電流の高調波を抑制し力率を改善するための力率改善回路であるＰＦＣ(Power Factor Correction)回路を有する。
【０００３】
また、点灯装置はＬＥＤの明るさを制御する。ＬＥＤの明るさはＬＥＤの電流の大きさに依存して決まるため、点灯装置は出力電流の大きさを一定に制御する電流制御回路を有する。特に、上記ＰＦＣ回路と電流制御回路を１つの回路で実現する構成とする場合もある。
【０００４】
上記電流制御回路の制御方法としては、出力している電流の大きさを検出し、目標値との差分から、目標の大きさの電流を出力するように制御量を補正するフィードバック制御が適用される。
【先行技術文献】
【特許文献】
【０００５】
【特許文献１】特開２００９−２１３２８０号公報
【発明の概要】
【発明が解決しようとする課題】
【０００６】
点灯装置が交流のエネルギーを直流のエネルギーに変換する過程において全波整流することに起因して、ＰＦＣ回路の出力電圧には商用周波数の２倍の周波数の脈動が発生する。電流制御回路はＰＦＣ回路が出力する電圧を入力として、所望の大きさの電流を出力するように動作する。しかしながら、フィードバック制御には制御応答の遅れが存在するため、光源に出力する電流にも交流電源の２倍周波数のリプル電流が重畳してしまう。リプル電流の重畳は、光の明暗によるちらつきを生じさせたり、ビデオカメラ映像にフリッカーを生じさせたりするという課題がある。
【０００７】
本発明は、上述のような課題を解決するためになされたもので、点灯装置の出力電流にリプル電流が重畳することを抑制できる点灯装置、照明器具、及び点灯装置の制御方法を提供することを目的とする。
【課題を解決するための手段】
【０００８】
本願の発明に係る点灯装置は、交流電力を整流する整流回路と、高調波を抑制して力率を改善するＰＦＣ回路と、スイッチング素子を有し、該ＰＦＣ回路の出力を予め定められた電流値に変換する電流制御回路と、該スイッチング素子を制御する制御部と、を備え、該制御部は、該電流制御回路の出力電流を検出し、該出力電流を予め定められた目標電流にフィードバック制御する第１制御量を算出する演算部と、フィードフォワード制御で該ＰＦＣ回路の出力電圧の脈動に起因する該出力電流の変動を抑制する第２制御量を算出する補正部と、該第１制御量と該第２制御量との乗算結果を出力する乗算部と、を備え、該制御部は該乗算結果に応じて該スイッチング素子の導通時間を変化させることを特徴とする。
【０００９】
本発明のその他の特徴は以下に明らかにする。
【発明の効果】
【００１０】
本発明によれば、フィードバック制御に加え、脈動電圧の高さに応じたフィードフォワード制御を適用することで、交流電源の２倍周波数のリプル電流を抑制することが可能となる。これにより、光の明暗によるちらつきを抑制したり、ビデオカメラ映像にフリッカーが発生することを抑制したりすることができる。
【図面の簡単な説明】
【００１１】
【図１】実施の形態１に係る点灯装置及び照明器具の構成図である。
【図２】ＰＦＣ回路とその周辺の回路構成例を示す図である。
【図３】ＰＦＣ回路の動作を示すタイミングチャートである。
【図４】電流制御回路の動作を示すタイミングチャートである。
【図５】フィードバック制御による出力電流の波形を示す図である。
【図６】フィードバック制御に加えてフィードフォワード制御を行った場合の出力電流の波形を示す図である。
【図７】制御部の機能ブロック図である。
【図８】電流制御回路の制御内容を示すフローチャートである。
【図９】図９Ａはフィードバック制御を行った場合の出力電流の波形を示す図である。図９Ｂはフィードフォワード制御を行った場合の出力電流の波形を示す図である。
【図１０】リプル電流と平滑コンデンサの静電容量の関係を示す図である。
【図１１】入力電圧に応じて補正量を変化させる制御を示すフローチャートである。
【図１２】フィードバック制御において瞬停発生した場合の波形を示す図である。
【図１３】フィードフォワード制御において瞬停発生した場合の波形を示す図である。
【図１４】実施の形態２に係る点灯装置及び照明器具の構成図である。
【図１５】実施の形態３に係る点灯装置及び照明器具の構成図である。
【発明を実施するための形態】
【００１２】
本発明の実施の形態に係る点灯装置、照明器具、点灯装置の制御方法について図面を参照して説明する。同じ又は対応する構成要素には同じ符号を付し、説明の繰り返しを省略する場合がある。なお、実施の形態の記載によりこの発明が限定されるものではない。
【００１３】
実施の形態１．
図１は、実施の形態１に係る点灯装置１００及び照明器具２００の構成図である。照明器具２００は交流電源１に接続されている。照明器具２００は、交流電源１から出力される交流電流の高周波成分を除去する入力フィルタ２と、交流電源１から供給される電力を光源８に入力可能な直流電流に変換して出力する点灯装置１００と、点灯装置１００から供給される電力により点灯する光源８を備える。光源８は、例えば複数のＬＥＤを直列又は並列に接続したＬＥＤ群で構成される。ＬＥＤ群の一端は正極側直流母線に接続され、ＬＥＤ群の他端は負極側直流母線に接続される。光源８は点灯装置１００に接続されたＬＥＤ又は有機ＥＬ（Electro Luminescence）とすることができる。
【００１４】
点灯装置１００は、入力フィルタ２と、入力フィルタ２に接続される整流回路３と、整流回路３に並列接続されるフィルタコンデンサ４と、ＰＦＣ回路５と、電流制御回路７と、ＰＦＣ回路５を制御する制御部１１と、電流制御回路７を制御する制御部９とを備える。図２は、ＰＦＣ回路５とその周辺の回路構成例を示す図である。図２にはフィルタコンデンサ４と制御部１１が示されている。
【００１５】
点灯装置１００は、交流電源１から入力される電流の高調波を抑制して力率を改善すると共に、整流回路３から出力される電力を直流電力に変換して光源８に供給する機能を有する。点灯装置１００は、交流電源１から入力される電流の高調波を抑制して力率を改善するためのＰＦＣ回路５と、ＰＦＣ回路５の出力電圧を平滑する平滑コンデンサ６と、光源８に出力する電流の大きさを制御する電流制御回路７とを備える。
【００１６】
交流電源１と整流回路３との間に配置される入力フィルタ２はコイル２ａ及びフィルタコンデンサ２ｂを有し、交流電源１から出力される電流に重畳している高周波成分を低減する。コイル２ａは交流電源１に直列接続される。コイル２ａの一端は交流電源１の一端に接続され、コイル２ａの他端はフィルタコンデンサ２ｂ及び整流回路３に接続される。フィルタコンデンサ２ｂの他端は、交流電源１及び整流回路３に接続される。
【００１７】
整流回路３は、入力フィルタ２とＰＦＣ回路５との間に配置され、交流電源１から供給される交流電力を直流電力に変換する。整流回路３は例えば４つのダイオードを組み合わせたダイオードブリッジで構成されている。整流回路３の構成はこれに限定されるものではなく、単方向導通素子であるＭＯＳＦＥＴを組み合わせて構成したものでもよい。整流回路３として交流電力を整流する任意の回路を採用することができる。
【００１８】
フィルタコンデンサ４は整流回路３の出力に並列接続されており、整流回路３の出力電圧を平滑する。フィルタコンデンサ４の一端は正極側直流母線に接続され、フィルタコンデンサ４の他端は負極側直流母線に接続される。
【００１９】
ＰＦＣ回路５は整流回路３と電流制御回路７との間に配置される。図２に示すように、ＰＦＣ回路５は、スイッチング素子であるＭＯＳＦＥＴ５ｂと、コイル５ａと、ダイオード５ｃとを有する。ＰＦＣ回路５は、制御部１１によってＭＯＳＦＥＴ５ｂがオンオフ制御されることにより、整流回路３の出力電圧を昇圧し、昇圧した電圧を平滑コンデンサ６に出力する。また、ＰＦＣ回路５は、後述する制御により、入力電流の高調波を抑制し、力率改善する機能を有する。実施の形態１では、ＰＦＣ回路５を昇圧チョッパ回路で構成した例を説明する。なお、ＰＦＣ回路５は、昇圧チョッパ回路の他にも、昇降圧チョッパ回路、フライバック回路、フライフォワード回路、ＳＥＰＩＣ（Single Ended Primary  Inductor Converter）、Ｚｅｔａコンバータ又はＣｕｋコンバータといった回路で構成してもよい。
【００２０】
コイル５ａは、正極側直流母線において、フィルタコンデンサ４とＭＯＳＦＥＴ５ｂとの間に配置される。コイル５ａは例えばコアに絶縁性ワイヤを巻くことにより形成される。コイル５ａの一端はフィルタコンデンサ４の一端に接続される。コイル５ａの他端はダイオード５ｃのアノードに接続される。ＭＯＳＦＥＴ５ｂのオンオフ動作に伴い、コイル５ａには極性が異なる電圧が印加される。また、コイル５ａは後述するゼロ電流検出のための補助巻線を備えている。当該補助巻線の一端は負極側直流母線に接続され、他端は制御部１１が備えるゼロ電流検出部１１ｇに接続される。
【００２１】
ＭＯＳＦＥＴ５ｂのドレインは、正極側直流母線において、コイル５ａとダイオード５ｃのアノードとに接続される。ＭＯＳＦＥＴ５ｂのソースは、負極側直流母線において、フィルタコンデンサ４の他端と、平滑コンデンサ６の他端とに接続される。ＭＯＳＦＥＴ５ｂのゲートは制御部１１に接続される。ＭＯＳＦＥＴ５ｂのゲートには、制御部１１から出力される制御信号が入力される。制御信号が入力されることによりＭＯＳＦＥＴ５ｂのオンオフ制御が行われる。
【００２２】
ダイオード５ｃは、正極側直流母線において、ＭＯＳＦＥＴ５ｂと平滑コンデンサ６との間に配置される。ダイオード５ｃのアノードはコイル５ａ及びＭＯＳＦＥＴ５ｂに接続され、ダイオード５ｃのカソードは平滑コンデンサ６に接続される。
【００２３】
図１に示されるように、平滑コンデンサ６はＰＦＣ回路５と電流制御回路７との間に配置される。平滑コンデンサ６の一端は正極側直流母線に接続され、平滑コンデンサ６の他端は負極側直流母線に接続される。
【００２４】
図２に示される制御部１１は、電圧検出部１１ｂ、ゼロ電流検出部１１ｇ、演算部１１ｃ及び駆動部１１ｄを備える。電圧検出部１１ｂはＰＦＣ回路５が出力する電圧の高さを検出し、検出結果を演算部１１ｃに送信する。電圧検出部１１ｂは、例えば複数の抵抗を直列に接続した分圧回路とすることができる。
【００２５】
ゼロ電流検出部１１ｇはコイル電流のゼロクロスタイミングを検出し、演算部１１ｃに送信する。例えば、コイル電流が０Ａまで低下した時点で、補助巻線の電圧の極性が反転することを利用して、当該ゼロクロスタイミングを検出することができる。ゼロ電流検出部１１ｇとして、極性反転を検出するためのコンパレータを用いることができる。
【００２６】
演算部１１ｃは、電圧検出部１１ｂから送信されたＰＦＣ回路５の出力電圧を用いてＰＦＣ回路５の出力電圧が予め定められた大きさになるようにフィードバック制御するための演算を行い、ＭＯＳＦＥＴ５ｂをオン／オフ制御するための信号を出力する。より具体的には、電圧検出部１１ｂから送信された電圧と基準電圧Ｖｒｅｆ１の差分が小さくなるようにＭＯＳＦＥＴ５ｂをオンする時間を変化させる。また、演算部１１ｃは電圧検出部１１ｂから送信された電圧をＡ／Ｄ変換する機能を備える構成とし、マイコン等を用いてデジタル制御することも可能である。この場合、Ｖｒｅｆ１が不要になることに加え、アナログ回路を集積化し、制御部１１を小型化することも可能である。
【００２７】
駆動部１１ｄは演算部１１ｃから送信された信号をＭＯＳＦＥＴ５ｂのゲートを駆動可能な大きさの電圧に変換し、ＭＯＳＦＥＴ５ｂに電圧印加する。
【００２８】
図３は、図１に示すＰＦＣ回路５を構成するコイル５ａに流れる電流とＭＯＳＦＥＴ５ｂのドレイン電圧とＭＯＳＦＥＴ５ｂのゲート電圧との関係を示すタイミングチャートである。図３には上から順に、点灯装置１００に入力される交流電源１の電流、コイル５ａに流れる電流、ゼロ電流検出部１１ｇが出力するゼロ電流検出信号、ＭＯＳＦＥＴ５ｂのドレイン電圧、ＭＯＳＦＥＴ５ｂのゲート電圧が示される。横軸は時間を表す。
【００２９】
図３では、説明の便宜上、ＭＯＳＦＥＴ５ｂのゲート電圧がオンオフされる周期を、実際よりも長く記載している。ＭＯＳＦＥＴ５ｂのゲート電圧がオンオフされる周期は、ＭＯＳＦＥＴ５ｂのゲート電圧がオフからオンに変化した時点から、再びＭＯＳＦＥＴ５ｂのゲート電圧がオフからオンに変化するまでの時間に等しい。
【００３０】
ＭＯＳＦＥＴ５ｂがオンされたとき、交流電源１、整流回路３、コイル５ａ及びＭＯＳＦＥＴ５ｂの電流経路が形成され、交流電源１がコイル５ａを介して短絡される。そのため、コイル５ａに流れる電流が増加し、コイル５ａにエネルギーが蓄積される。
【００３１】
演算部１１ｃに設定されたオン時間が経過すると、ＭＯＳＦＥＴ５ｂがオフされる。ＭＯＳＦＥＴ５ｂがオフされると、コイル５ａ、ダイオード５ｃ及び平滑コンデンサ６の電流経路が形成される。この経路においてコイル５ａに蓄積されたエネルギーが放出され、平滑コンデンサ６が充電される。
【００３２】
コイル５ａに流れる電流がゼロになるとＭＯＳＦＥＴ５ｂは再びオン状態になる。このようにコイル電流がゼロとなった後、直ちにＭＯＳＦＥＴ５ｂをオンする制御を電流臨界モード制御と呼ぶ。ＭＯＳＦＥＴ５ｂの一連のオンオフ動作により、コイル５ａに流れる電流は、三角波状の波形となり、その頂点が点線で示すような正弦波の包絡線になる。このとき、交流電源１から入力される電流は、入力フィルタ２により高周波成分が除去され、コイル２ａに流れるコイル電流の平均値が入力され、正弦波状の電流波形となる。
【００３３】
このとき、制御部１１が平滑コンデンサ６の印加電圧を検出して、検出された電圧が目標値に追従するようフィードバック制御されることで、ＭＯＳＦＥＴ５ｂのオン時間が制御される。ＭＯＳＦＥＴ５ｂのオン時間をフィードバック制御する際、オン時間が大きく変化してしまうと、コイル５ａに流れる電流の頂点の包絡線が正弦波にならず、交流電源１の入力電流を正弦波状にすることができない。そのため制御部１１では、フィードバック制御の応答時間は、フィードバック制御のループゲインが交流電源１の１周期の１／２周期以上で１倍（０ｄＢ）以下となるように設定される。言い換えると、フィードバック制御の応答時間は、交流電源１の周波数の２倍以下の周波数で１倍（０ｄＢ）以下となるように設定される。
【００３４】
具体的に説明すると、電源周波数が５０Ｈｚの場合、電源周波数の半周期（半波という）の周波数１００Ｈｚ以下、すなわち周期１０ｍｓｅｃ以上で、フィードバック制御のループゲインを１倍（０ｄＢ）以下とすることにより、フィードバック制御は電源周期の１／２より短い周期で応答しないように設定される。これにより電源周期の１／２周期以内においては、ＭＯＳＦＥＴ５ｂのオン時間の変動が抑制され、コイル５ａに流れる電流の頂点の包絡線が正弦波状の波形となる。
【００３５】
フィードバック制御において、オン時間の更新周期を、交流電源１の周期の半分に相当する周期、又は交流電源１の周期の半分に相当する周期よりも長い周期とすることによっても、同様の効果を得ることができる。
【００３６】
ゼロ電流を検出した後、ＭＯＳＦＥＴ５ｂをオンさせるまでにわずかに遅延時間を設け、ＭＯＳＦＥＴ５ｂのドレイン電圧が自由振動している期間において、ドレイン電圧振動のボトム付近でＭＯＳＦＥＴ５ｂをオンさせることもできる。これにより、ドレイン電圧の急峻な変動を抑制し、スイッチングに起因するノイズを抑制できる。
【００３７】
次に、電流制御回路７の構成と動作を詳細に説明する。
【００３８】
図１に示すとおり、電流制御回路７は、例えばＭＯＳＦＥＴで構成されたスイッチング素子７ａ、コイル７ｂ、ダイオード７ｃ及びフィルタコンデンサ７ｄを備える。スイッチング素子７ａは正極側直流母線に直列に配置される。スイッチング素子７ａのドレインは、図１に示す平滑コンデンサ６の一端とダイオード５ｃのカソードとに接続される。スイッチング素子７ａのソースは、ダイオード７ｃのカソードとコイル７ｂの一端とに接続される。スイッチング素子７ａのゲートは駆動部９ｄに接続される。スイッチング素子７ａのゲートには、制御部９から出力される制御信号が入力される。当該制御信号はスイッチング素子７ａをオンオフ制御するための信号である。
【００３９】
コイル７ｂの一端は、スイッチング素子７ａのソースとダイオード７ｃのカソードとに接続される。コイル７ｂの他端は、フィルタコンデンサ７ｄの一端と図１に示す光源８の一端とに接続される。ダイオード７ｃのカソードは、スイッチング素子７ａのソースとコイル７ｂの一端とに接続される。ダイオード７ｃのアノードは、図１に示す平滑コンデンサ６の他端とフィルタコンデンサ７ｄの他端と光源８の他端とに接続される。
【００４０】
図１の電流制御回路７は降圧チョッパ回路で構成されているが、降圧チョッパ回路の他にも、昇降圧チョッパ回路、フライバック回路、フライフォワード回路、ＳＥＰＩＣ、Ｚｅｔａコンバータ又はＣｕｋコンバータといった回路で構成されたものでもよい。
【００４１】
図４は、光源８に流れる電流とコイル７ｂに流れる電流とスイッチング素子７ａのゲート電圧との関係を示すタイミングチャートである。図４には上から順に、光源８に流れる電流、コイル７ｂに流れる電流、スイッチング素子７ａのゲート電圧が示されている。横軸は時間を表す。
【００４２】
スイッチング周期Ｔｓｗは、スイッチング素子７ａの制御信号がオフからオンに変化した時点から、再びスイッチング素子７ａの制御信号がオフからオンに変化するまでの時間に等しい。スイッチング周期Ｔｓｗは予め演算部９ｃに設定されている。オン時間Ｔｏｎは、スイッチング素子７ａの制御信号がオフからオンに変化した時点から、オンからオフに変化するまでの時間に等しい。
【００４３】
スイッチング素子７ａの制御信号がオフからオンの状態に変化すると、スイッチング素子７ａがオン状態になる。そうすると、平滑コンデンサ６、スイッチング素子７ａ、コイル７ｂ及びフィルタコンデンサ７ｄを通る電流経路が形成され、図４に示すようにコイル７ｂに流れる電流が増加する。
【００４４】
スイッチング素子７ａの制御信号がオンからオフの状態に変化すると、スイッチング素子７ａがオフ状態になる。そうすると、コイル７ｂ、フィルタコンデンサ７ｄ及びダイオード７ｃを通る電流経路が形成され、図４に示すコイル７ｂに流れる電流がゼロまで減少する。スイッチング周期Ｔｓｗが経過した時点で、スイッチング素子７ａの制御信号がオフからオンに変化する。これによりスイッチング素子７ａが再びオン状態になる。
【００４５】
このときコイル７ｂに流れる電流は三角波状の波形になるが、光源８に出力される電流は、フィルタコンデンサ７ｄにより平滑化され、コイル７ｂに流れる電流の平均値が電流制御回路７から出力される。電流制御回路７によって、ＰＦＣ回路５の出力が予め定められた電流値に変換される。なお、コイル７ｂに流れる電流はゼロまで低下した後、スイッチング素子７ａの寄生容量と、コイル７ｂが形成する共振回路において共振電流が発生するが、記載を省略している。
【００４６】
光源８を調光するために光源８に流れる電流を制御する場合、演算部９ｃは、スイッチング素子７ａをターンオンするスイッチング周期Ｔｓｗを一定としつつ、出力電流の目標値に応じてスイッチング素子７ａのオン時間Ｔｏｎを変化させる。このように、オン時間Ｔｏｎを調整することにより特定の出力を得る制御方法は、スイッチング周期Ｔｓｗに対するオン時間Ｔｏｎの割合をデューティーと呼ぶことから、デューティー制御と呼ばれる。
【００４７】
また、電流制御回路７の制御方法として、スイッチング周期Ｔｓｗを固定しない方法もある。具体的には、ＰＦＣ回路５と同様に臨界モード制御する方法であり、この場合、コイル７ｂのゼロ電流検出を行うための補助巻線を設ける必要がある。そして、補助巻線でゼロ電流を検出した後、スイッチング素子７ａをオンさせるまでにわずかに遅延時間を設け、スイッチング素子７ａのドレイン電圧が自由振動している期間において、ドレイン電圧振動のボトム付近でスイッチング素子７ａをオンさせることもできる。これにより、ドレイン電圧の急峻な変動を抑制し、スイッチングに起因するノイズを抑制できる。
【００４８】
図１に示すとおり、制御部９は、補正部９ｂ、入力電圧検出部９ｆ、演算部９ｃ、駆動部９ｄ及び乗算器９ｅを備える。
【００４９】
補正部９ｂはＰＦＣ回路５の出力電圧（以後単に出力電圧ということがある）を検出し、その出力電圧の平均値を算出する。また、補正部９ｂは、出力電圧の瞬時値と平均値との差分に応じたフィードフォワードを可能とする第２制御量を演算する。第２制御量は、例えば、瞬時値の平均値に対する割合に比例した値、又は瞬時値と平均値の差分の平均値に対する割合に比例した値である。また、ＰＦＣ回路５の出力電圧の平均値として、ＰＦＣ回路５の出力電圧の目標値を使用することができる。この場合、補正部９ｂは、出力電圧の平均値として、出力電圧の目標値を使用する。出力電圧の目標値を使用することで、平均値の演算負荷を軽減することができる。補正部９ｂは、算出した第２制御量を乗算器９ｅに出力する。
【００５０】
入力電圧検出部９ｆは入力電圧の高さを検出し補正部９ｂに送信する。入力電圧検出部９ｆは、複数の抵抗を直列に接続した分圧回路とすることができる。
【００５１】
演算部９ｃは、シャント抵抗７ｅから送信された電流制御回路７の出力電流（以後単に出力電流ということがある）を検出する。演算部９ｃは、その出力電流を予め定められた目標電流にフィードバック制御する第１制御量を算出する。第１制御量は、出力電流を用いて出力電流が予め定められた大きさになるようにフィードバック制御するために算出される。第１制御量は、スイッチング素子７ａをオン／オフ制御するための信号である。
【００５２】
より具体的には、シャント抵抗７ｅから得られた電圧と、基準電圧Ｖｒｅｆ２の差分が小さくなるように、スイッチング素子７ａのオン時間を変化させる。例えば、シャント抵抗７ｅから得られた電圧が基準電圧Ｖｒｅｆ２より大きい場合はスイッチング素子７ａのオン時間を短縮させる。反対に、シャント抵抗７ｅから得られた電圧が基準電圧Ｖｒｅｆ２よりも小さい場合はスイッチング素子７ａをオンする時間を延長させる。
【００５３】
演算部９ｃはシャント抵抗７ｅから得られた電圧をＡ／Ｄ変換する機能を備える構成とし、マイコン等を用いてデジタル制御することも可能である。この場合、Ｖｒｅｆ２が不要になることに加え、アナログ回路を集積化し、制御部９を小型化することが可能である。
【００５４】
乗算器９ｅは第１制御量と第２制御量を掛け合わせ、乗算結果を駆動部９ｄに出力する。駆動部９ｄは、乗算器９ｅから送信された信号をスイッチング素子７ａのゲートを駆動可能な大きさの電圧に変換し、スイッチング素子７ａのゲートに印加する。
【００５５】
制御部９と制御部１１を別の構成として記載したが、マイコン等を用いてデジタル制御する場合には、１つのマイコンに制御部９と制御部１１を集約することで回路を小型化することができる。ＭＯＳＦＥＴ５ｂとスイッチング素子７ａは、例えばシリコン系の半導体で構成することができる。別の例によれば、ＭＯＳＦＥＴ５ｂとスイッチング素子７ａは、ワイドバンドギャップ半導体によって形成し得る。ワイドバンドギャップ半導体は、炭化珪素、窒化ガリウム系材料又はダイヤモンドである。ＭＯＳＦＥＴ５ｂとスイッチング素子７ａにワイドバンドギャップ半導体を用いることで、通電損失を減らすことができる。また、スイッチング周波数すなわち駆動周波数を高周波にしても放熱が良好となる。このため、ＰＦＣ回路５と電流制御回路７の放熱部品を小型化したり削除したりすることができる。
【００５６】
電流制御回路７はＰＦＣ回路５の出力電圧を入力として動作するが、フィードバック制御だけでは制御応答の遅れが存在するため、ＰＦＣ回路５の電圧の脈動に起因して光源８に出力する電流に交流電源の２倍周波数のリプル電流が重畳してしまう。リプル電流は、光の明暗によるちらつきの原因となったり、ビデオカメラ映像のフリッカーの原因となったりする。
【００５７】
図５は、フィードバック制御による出力電流の波形を示す図である。ＰＦＣ回路５の出力電圧が脈動により低下した場合、出力電流が低下しないようにオン時間を延長する制御が作用する。しかし、応答の遅れがあるため、ＰＦＣ回路５の出力電圧の脈動ボトムとなるタイミングよりも、スイッチング素子７ａのオン時間が最大となるタイミングが遅くなる。結果として、ＬＥＤ８に流れる電流である電流制御回路７の出力電流にリプルが発生する。
【００５８】
図６は、実施の形態１において、フィードバック制御に加えて、ＰＦＣ回路５の出力電圧を用いてフィードフォワード制御を行った場合の出力電流波形を示す図である。補正部９ｂは、ＰＦＣ回路５の出力電圧を検出し、脈動電圧の高さに応じてフィードフォワードを可能とする第２制御量を演算する。より具体的には、補正部９ｂは、ＰＦＣ回路５の出力電圧の瞬時値が出力電圧の平均値よりも高い場合に、直前の制御と比べてスイッチング素子７ａの導通時間を短くする第２制御量を算出する。スイッチング素子７ａのオン時間を短くすることはリプル電流のピーク値を低減する。反対に、補正部９ｂは、ＰＦＣ回路５の出力電圧の瞬時値が出力電圧の平均値よりも低い場合に、直前の制御と比べてスイッチング素子７ａの導通時間を長くする第２制御量を算出する。スイッチング素子７ａのオン時間を長くすることはリプル電流のボトム値を上昇させる。このように、フィードフォワード制御で出力電圧の脈動に起因する出力電流の変動を抑制する第２制御量を用いることで、従来のフィードバック制御による応答の遅れを補正することができ、リプル電流を抑制することができる。
【００５９】
図６では、スイッチング素子７ａの導通時間が制御部９によって制御された結果、期間１において出力電圧の脈動最大値となるタイミングとスイッチング素子７ａの導通時間が最小となるタイミングが一致し、期間２において出力電圧の脈動最小値となるタイミングとスイッチング素子７ａの導通時間が最大となるタイミングが一致している。
【００６０】
図７は、補正部９ｂと演算部９ｃの機能ブロック図である。補正部９ｂは、検出部９ｂ１、メモリ９ｂ２、第２制御量算出部９ｂ３及び平均値演算部９ｂ４を備えている。演算部９ｃは、検出部９ｃ１及び第１制御量算出部９ｃ３を備えている。
【００６１】
補正部９ｂの検出部９ｂ１は、ＰＦＣ回路５の出力電圧を検出し、第２制御量算出部９ｂ３と平均値演算部９ｂ４に検出結果を送信する。検出部９ｂ１は、複数の抵抗を直列に接続した分圧回路とし得る。また、デジタル制御する場合にはＡ／Ｄ変換器を併せ持つ。
【００６２】
平均値演算部９ｂ４は検出部９ｂ１から送信された信号を用いて、ＰＦＣ回路５の出力電圧の平均値を算出し、その平均値をメモリ９ｂ２に記憶させる。第２制御量算出部９ｂ３は、検出部９ｂ１から送信された信号とメモリ９ｂ２から送信された信号とを用いて第２制御量を算出し、乗算器９ｅに送信する。
【００６３】
演算部９ｃの検出部９ｃ１はシャント抵抗７ｅの電圧を検出し、第１制御量算出部９ｃ３に検出結果を送信する。第１制御量算出部９ｃ３は検出部９ｃ１から送信された信号を用いて第１制御量を算出し、乗算器９ｅに送信する。乗算器９ｅは、第２制御量算出部９ｂ３と第１制御量算出部９ｃ３から送信された第２制御量と第１制御量を乗算し、乗算結果を駆動部９ｄに出力する。
【００６４】
図８は、電流制御回路７の制御内容を示すフローチャートである。点灯装置１００に交流電源が投入されるとステップＳ１にて点灯動作を開始する。演算部９ｃはステップＳ２において出力電流を検出する。前述のとおり出力電流は電圧値として検出し得る。その後、演算部９ｃは、ステップＳ３にて、検出した出力電流と目標電流の差分を算出し、ステップＳ４にてフィードバックによる第１制御量を演算する。第１制御量は、出力電流を予め定められた目標電流にフィードバック制御する制御量である。
第１制御量をTon(t)、Irefを目標電流、Idecを検出した出力電流とすると、第１制御量は例えば以下の式１によって算出される。
Ton(t)＝Ton(t-1)×(1+(Iref-Idec)×B）      ・・・式１
Bはフィードバックの応答の速さを決める値であり、応答を早めたい場合にはBを大きくする。
【００６５】
補正部９ｂはステップＳ７においてＰＦＣ回路５の出力電圧を検出する。その後、補正部９ｂは、ステップＳ８にてＰＦＣ回路５の出力電圧の平均を算出し、ステップＳ９にて出力電圧の検出値と平均電圧の差分を算出する。その後、ステップＳ１０にてフィードフォワードによる第２制御量を演算する。第２制御量は、フィードフォワード制御で出力電圧の脈動に起因する出力電流の変動を抑制する制御量である。
ＰＦＣ回路５の出力電圧をVdec、ＰＦＣ回路５の平均電圧をVaveとすると、第２制御量は例えば以下の式２によって算出される。
第２制御量＝{1+(Vave-Vdec)×A}      ・・・式２
Aは固定値とすることができる。図１１を参照して後述するようにAを交流電力の大きさに対応させることもできる。
【００６６】
ステップＳ５では、乗算器９ｅによって第１制御量と第２制御量を掛け合わせることでフィードフォワード制御により補正したオン時間を得る。ステップＳ６では、制御部９は乗算結果に応じてスイッチング素子７ａの導通時間を変化させる。具体的には、補正したオン時間によりスイッチング素子７ａを導通させる。
【００６７】
図９Ａはフィードバック制御を行った場合の出力電流の波形を示す図である。図９Ｂはフィードフォワード制御によりリプル電流を抑制した出力電流の波形を示す図である。電流値１は両条件における平均電流を表しており、いずれも等しい値である。電流値２は従来のフィードバック制御を行った場合の電流波形におけるピーク電流である。電流値３は電流値１、電流値２の差分である。
【００６８】
光源８としてＬＥＤを使用する場合、出力される光量は平均電流に比例して決まる。図９Ａと図９Ｂのどちらの場合においても、平均電流は電流値１なので、光量は同等である。光源としてＬＥＤを使用する場合、出力する電流のピーク値がＬＥＤの最大定格電流を超えないようにする必要がある。従来のフィードバックによる制御においては、電流制御回路７が出力する電流にリプル電流が重畳するので、最大定格電流の制約により平均電流を上昇できないことがある。つまり、平均電流を電流値２に近付けることはできない。この場合、必要な光量を確保するためにはＬＥＤチップの数を増やす必要があり、コストの増加を招いていた。
【００６９】
これに対し、実施の形態１においては、フィードフォワードによりリプル電流を抑制することが可能であるから、従来よりも平均電流を上昇させることができる。第１制御量だけに基づいてスイッチング素子７ａの導通時間を変化させた場合と比べて、出力電流の平均値を光源の最大定格電流に近づけることができる。出力電流からリプル電流を完全に排除できた場合は、平均電流を電流値２に一致させることができる。フィードフォワードの採用は、ＬＥＤチップ数の削減を通じたＬＥＤの低コスト化を可能とする。
【００７０】
図１０は、電流制御回路７が出力する電流のリプル電流の大きさと、平滑コンデンサ６の静電容量の大きさの関係を示す図である。平滑コンデンサ６の容量を小さくすると、ＰＦＣ回路５の出力電圧の脈動が大きくなるため、リプル電流も増加する。「従来のフィードバックによる制御」の場合、リプル電流を抑制するために平滑コンデンサ６の容量を大きくする必要があり、部品の大型化とコストの増加を招いていた。これに対し、実施の形態１においては、フィードフォワードによりリプル電流を抑制することが可能であるから、平滑コンデンサ６の容量を削減することができる。図１０の例では、平滑コンデンサ６の容量を容量１から容量２まで低減することができる。容量の低減は装置の低コスト化を可能とする。
【００７１】
交流電源１から入力される電圧が小さいほど、ＰＦＣ回路５の出力電圧に重畳する脈動電圧が高くなる。そのため、リプル電流抑制の効果を十分に得るためには、交流電源１から入力される電圧が小さいほど、前述の「式２」における係数Ａを大きくし補正量を増加させる必要がある。言い換えると、整流回路３に入力される交流電力が低いほど、出力電圧の瞬時値Vdecと出力電圧の平均値Vaveの差分に大きい係数を乗じて第２制御量を大きくする。そのような処理の一例として、交流電源１の電圧を判定し、交流電源１の電圧が低いほど、第２制御量を大きくすることができる。そのような処理でリプル電流の抑制が可能となる。
【００７２】
図１１は、入力電圧に応じて補正量を変化させる制御を示すフローチャートである。まず、ステップＳ２０において交流電源１が投入される。次いで、ステップＳ２１にて交流電源１の電圧を検出する。次いで、ステップＳ２２にて、例えばテーブルを参照して、検出した電圧に応じた補正量を決定する。交流電源１の電圧が小さいほど、大きい補正量が採用される。補正量の一例が前述の係数Ａである。一例によれば、入力電圧と補正量の対応を定義するテーブルを制御部９の内部のメモリに設けておき、そのテーブルを参照することで、補正量を決めることができる。ステップＳ２３にて補正量を決定すると、ステップＳ２４に処理を進める。ステップＳ２４で点灯装置１００による光源８の点灯を開始し、電源が遮断されるまで点灯状態を維持する。
【００７３】
図６には、入力電圧１００Ｖのときのスイッチング素子７ａのオン時間の部分的な波形が破線で示され、入力電圧２００Ｖのときのスイッチング素子７ａのオン時間の波形が実線で示されている。補正部９ｂにおいて、交流電力が低いほど第２制御量を大きくする処理を行うことで、様々な入力電圧に対応したリプル電流の抑制が可能となる。
【００７４】
電力需要の変動又は雷の発生などによって、交流電源１の電圧が変動したり瞬間的な停電（瞬停という）が生じたりすることがある。
【００７５】
図１２は、従来のフィードバックによる制御において、交流電源１の電圧に瞬停が発生した場合のＰＦＣ回路５の出力電圧及び電流制御回路７の出力電流の波形を示す図である。瞬停が発生した期間Ａにおいては交流電源１から電力を供給することができないため、平滑コンデンサ６が放電することによりＰＦＣ回路５の出力電圧が低下する。その後、期間Ａから期間ＢにかけてＰＦＣ回路５の出力電圧が安定するまでに期間を要する。期間Ａ、Ｂにおいて瞬停がないと仮定したときの波形は破線で示され、瞬停によって実線の波形となる。電流制御回路７をフィードバック制御する場合、応答に遅れがあるため、ＰＦＣ回路５の出力電圧が低下し、電流制御回路７の出力電流も低下する。これによって、光の明暗によるちらつきが見えることがある。
【００７６】
図１３は、実施の形態１のフィードフォワードによる制御において、交流電源１の電圧に瞬停が発生した場合のＰＦＣ回路５の出力電圧及び電流制御回路７の出力電流の波形を示す図である。瞬停が発生した期間Ａにおいては交流電源１から電力を供給することができないため、平滑コンデンサ６が放電することにより、ＰＦＣ回路５の出力電圧が低下する。その後、期間Ａから期間Ｂにかけて、ＰＦＣ回路５の出力電圧が安定するまでに期間を要する。しかしながら、電流制御回路７をフィードフォワード制御する場合、ＰＦＣ回路５の出力電圧の変動の影響を打ち消すように補正を行うことができる。具体的には、ＰＦＣ回路５の出力電圧が低下した際にスイッチング素子７ａのオン時間を長くするように作用する。これによって電流制御回路７の出力電流の低下を抑制することができるため、光の明暗によるちらつきを抑制できる。
【００７７】
実施の形態１で言及した変形については以下の実施の形態に係る点灯装置、照明器具及び点灯装置の制御方法にも応用できる。以下の実施の形態に係る点灯装置、照明器具及び点灯装置の制御方法は実施の形態１との共通点が多いので実施の形態１との相違点を中心に説明する。
【００７８】
実施の形態２．
図１４は、実施の形態２に係る点灯装置１００ａ及び照明器具２００ａの構成図である。実施の形態２に係る照明器具２００ａと、実施の形態１に係る照明器具２００との相違点は、照明器具２００ａでは点灯装置１００の代わりに点灯装置１００ａが用いられていることである。実施の形態２に係る点灯装置１００ａと、実施の形態１に係る点灯装置１００の相違点は、点灯装置１００ａでは、整流回路３とＰＦＣ回路５の代わりに同期整流回路１２を用いた構成にした点である。つまり、整流回路とＰＦＣ回路を同期整流回路１２で構成した。
【００７９】
同期整流回路１２は、交流電源１から入力される交流電力を直流電力に変換し、電流の高調波を抑制して力率を改善する機能を備える。同期整流回路１２はスイッチング素子であるＭＯＳＦＥＴ１２ａ、１２ｂ、１２ｃ、１２ｄとコイル１２ｅとを有する。同期整流回路１２は、制御部１１によってＭＯＳＦＥＴ１２ａ、１２ｂ、１２ｃ、１２ｄがオンオフ制御されることにより、整流動作に加えて、交流電源１の電圧を昇圧し、昇圧した電圧を平滑コンデンサ６に出力する。また同期整流回路１２は、実施の形態１におけるＰＦＣ回路５と同様に、入力電流の高調波を抑制し、力率改善する機能を持つ。
【００８０】
コイル１２ｅは、一端がフィルタコンデンサ２ｂと接続されており、他端がＭＯＳＦＥＴ１２ａのソース、及びＭＯＳＦＥＴ１２ｃのドレインと接続されている。コイル１２ｅには、ＭＯＳＦＥＴ１２ａ、１２ｂ、１２ｃ、１２ｄのオンオフ動作に伴い、極性が異なる電圧が印加される。また、コイル５ｅは後述するゼロ電流検出のための補助巻線を備えており、補助巻線の一端は負極側直流母線に接続され、他端は制御部１１が備えるゼロ電流検出部１１ｇに接続される。
【００８１】
ＭＯＳＦＥＴ１２ａ、１２ｂのドレインは、正極側直流母線において、平滑コンデンサ６と接続される。ＭＯＳＦＥＴ１２ｃ、１２ｄのソースは、負極側直流母線において、平滑コンデンサ６と接続される。ＭＯＳＦＥＴ１２ａのソースはＭＯＳＦＥＴ１２ｃのドレインと接続され、さらにコイル１２ｅと接続される。ＭＯＳＦＥＴ１２ｂのソースはＭＯＳＦＥＴ１２ｄのドレインと接続され、さらにフィルタコンデンサ２ｂ、及び交流電源１と接続される。ＭＯＳＦＥＴ１２ａ、１２ｂ、１２ｃ、１２ｄのゲートは制御部１１に接続され、制御部１１から出力される制御信号が入力される。制御信号が入力されることによりＭＯＳＦＥＴ１２ａ、１２ｂ、１２ｃ、１２ｄのオンオフ制御が行われる。
【００８２】
同期整流回路１２の動作は、ＰＦＣ回路５の動作から説明することができる。同期整流回路１２のうちコイル１２ｅ、ＭＯＳＦＥＴ１２ａ、１２ｃは、それぞれＰＦＣ回路５のコイル５ａ、ダイオード５ｃ、ＭＯＳＦＥＴ５ｂに相当する構成となっている。また、コイル１２ｅ、ＭＯＳＦＥＴ１２ｂ、１２ｄは、それぞれＰＦＣ回路５のコイル５ａ、ダイオード５ｃ、ＭＯＳＦＥＴ５ｂに相当する構成となっている。これらが交流電源１の電圧の極性に応じ、交互にＰＦＣ回路５と同様のスイッチング動作をすることで、交流電源１から入力される交流電力を直流電力に変換するとともに、電流の高調波を抑制する。
【００８３】
整流回路３とＰＦＣ回路５の代わりに同期整流回路１２を用いることで、回路数を削減できるため、ＭＯＳＦＥＴ又はダイオードといったスイッチング素子で発生する損失を低減することが可能である。しかしながら、同期整流回路１２では実施の構成１におけるフィルタコンデンサ４を備えないため、同期整流回路１２の出力電圧の脈動が大きくなる。そのため、電流制御回路７の出力電流のリプル電流が大きくなる。
【００８４】
これに対して、前述のとおり電流制御回路７をフィードフォワード制御することで、リプル電流を抑制することが可能である。よって、同期整流回路１２を用いることで損失低減しつつ、リプル電流の増加を抑制することが可能になる。
【００８５】
実施の形態３．
図１５は、実施の形態３に係る点灯装置１００ｂ及び照明器具２００ｂの構成図である。実施の形態３に係る照明器具２００ｂと、実施の形態１に係る照明器具２００との相違点は、照明器具２００ｂでは、点灯装置１００の代わりに点灯装置１００ｂが用いられていることである。また実施の形態３に係る点灯装置１００ｂと、実施の形態１に係る点灯装置１００との相違点は、点灯装置１００ｂでは、ＰＦＣ回路５と電流制御回路７の代わりに直流変換回路１３を用いた構成にした点である。つまり、ＰＦＣ回路と電流制御回路を直流変換回路１３で構成した。
【００８６】
直流変換回路１３は、整流回路３から出力される直流電力を所望の直流電流に変換し、光源８に出力する。加えて、交流電源１から入力される電流の高調波を抑制して力率を改善する機能を備える。
【００８７】
直流変換回路１３は、スイッチング素子であるＭＯＳＦＥＴ１３ａと、第１コイル１３ｆと、第２コイル１３ｃと、結合コンデンサ１３ｈと、ダイオード１３ｂと、シャント抵抗１３ｅを有するＳＥＰＩＣとすることができる。直流変換回路１３は、制御部９によってＭＯＳＦＥＴ１３ａがオンオフ制御されることにより、光源８に出力する電流の大きさの制御に加えて、入力電流の高調波を抑制し、力率改善する機能を持つ。
【００８８】
具体的な回路構成と動作について説明する。第１コイル１３ｆの一端は、フィルタコンデンサ４の一端に接続されている。フィルタコンデンサ４の他端は負極側直流母線に接続されている。ＭＯＳＦＥＴ１３ａは、ドレイン端子、ソース端子、およびこれらの端子間をスイッチングするゲート端子を備えている。ＭＯＳＦＥＴ１３ａは、ドレイン端子が第１コイル１３ｆの他端に接続し、第１コイル１３ｆを介してフィルタコンデンサ４と並列接続している。
【００８９】
結合コンデンサ１３ｈの一端は、ＭＯＳＦＥＴ１３ａのドレイン端子に接続されている。第２コイル１３ｃの一端は、結合コンデンサ１３ｈの他端に接続されている。第２コイル１３ｃの他端は負極側直流母線に接続されている。第２コイル１３ｃは、結合コンデンサ１３ｈを介してＭＯＳＦＥＴ１３ａと並列接続されている。なお、第１コイル１３ｆと第２コイル１３ｃは個別の部品として構成している。ＳＥＰＩＣでは、第１コイル１３ｆと第２コイル１３ｃを同一のコアに巻線した構成のトランスを用いることができ、部品点数を削減することが可能である。
【００９０】
ダイオード１３ｂのアノードは第２コイル１３ｃの一端と結合コンデンサ１３ｈの他端の間に接続されている。ダイオード１３ｂのカソードには平滑コンデンサ６を接続している。平滑コンデンサ６の他端はシャント抵抗１３ｅに接続されている。平滑コンデンサ６には並列に光源８が接続される。
【００９１】
直流変換回路１３の動作は、実施の構成１におけるＰＦＣ回路５と電流制御回路７の動作から説明することができる。直流変換回路１３のうち、第１コイル１３ｆ、ＭＯＳＦＥＴ１３ａは、それぞれＰＦＣ回路５のコイル５ａ、ＭＯＳＦＥＴ５ｂに相当する構成となっている。これらがＰＦＣ回路５と同様のスイッチング動作をすることで、交流電源１から入力される交流電力を直流電力に変換するとともに、電流の高調波を抑制する。
【００９２】
ＭＯＳＦＥＴ１３ａのオン時間については、電流制御回路７と同様の制御がなされる。すなわち、シャント抵抗１３ｅから送信された出力電流を用いて直流変換回路１３の出力電流が予め定められた大きさになるようにフィードバック制御するための第１制御量を演算し、ＭＯＳＦＥＴ１３ａをオン／オフ制御するための信号を出力する。より具体的には、シャント抵抗１３ｅから送信された電圧と基準電圧Ｖｒｅｆの差分が小さくなるようにＭＯＳＦＥＴ１３ａをオンする時間を変化させる。例えば、シャント抵抗１３ｅから送信された電圧が基準電圧Ｖｒｅｆよりも大きい場合は、ＭＯＳＦＥＴ１３ａをオンする時間を短縮させる。反対に、シャント抵抗１３ｅから送信された電圧が基準電圧Ｖｒｅｆよりも小さい場合は、ＭＯＳＦＥＴ１３ａをオンする時間を延長させる。
【００９３】
補正部９ｂは整流回路３が出力する電圧の高さを検出しその平均値を算出する。また、瞬時値と平均値との差分に応じたフィードフォワードを可能とする第２制御量を演算する。第２制御量の算出内容としては、瞬時値の平均値に対する割合に比例した値を用いるほか、瞬時値と平均値の差分の平均値に対する割合に比例した値を用いる方法がある。補正部９ｂは第２制御量を乗算器９ｅに出力する。
【００９４】
乗算器９ｅは第１制御量と第２制御量を掛け合わせてオン時間を生成し、駆動部９ｄに送信する。駆動部９ｄの制御信号がＭＯＳＦＥＴ１３ａを駆動する。
【００９５】
また、直流変換回路１３の制御方法として、ＰＦＣ回路５と同様に臨界モード制御する方法もある。この場合、第１コイル１３ｆ又は第２コイル１３ｃのゼロ電流検出を行うための補助巻線を設ける必要がある。
【００９６】
補助巻線を設ける場合、ゼロ電流を検出した後、ＭＯＳＦＥＴ１３ａをオンさせるまでにわずかに遅延時間を設け、ＭＯＳＦＥＴ１３ａのドレイン電圧が自由振動している期間において、ドレイン電圧振動のボトム付近でＭＯＳＦＥＴ１３ａをオンさせることもできる。これにより、ドレイン電圧の急峻な変動を抑制し、スイッチングに起因するノイズを抑制できる。
【００９７】
なお、直流変換回路１３は、ＳＥＰＩＣの他にも、昇降圧チョッパ回路、フライバック回路、フライフォワード回路、Ｚｅｔａコンバータ又はＣｕｋコンバータといった回路で構成してもよい。
【００９８】
ＰＦＣ回路５と電流制御回路７の代わりに直流変換回路１３を用いることで、回路数
を削減できるため、ＭＯＳＦＥＴ又はダイオードといったスイッチング素子で発生する損失を低減することが可能である。しかしながら、直流変換回路１３は実施の構成１における昇圧動作を行わず整流回路３の出力電圧を直接用いて光源８に出力する電流の大きさを制御する構成であるため、直流変換回路１３の出力電流のリプル電流が大きくなる。
【００９９】
これに対して、直流変換回路１３について前述のフィードフォワード制御を採用することで、リプル電流を抑制することが可能である。よって、直流変換回路１３を用いることで損失低減しつつ、リプル電流を抑制することが可能になる。
【０１００】
以上の実施の形態に示した構成は、本発明の内容の一例を示すものであり、実施の構成１、２、３を組み合わせること、また別の公知の技術と組み合わせることも可能であるし、本発明の要旨を逸脱しない範囲で、構成の一部を省略又は変更することが可能である。
【符号の説明】
【０１０１】
１  交流電源、  ２  入力フィルタ、  ３  整流回路、  ４  コンデンサ、  ５  ＰＦＣ回路、  ６  平滑コンデンサ、  ７  電流制御回路、  ８  光源、  ９、１１  制御部、  １２  同期整流回路、  １３  直流変換回路、  ２ａ、５ａ、７ｂ、１２ｅ  コイル、  １３ｆ  第１コイル、  １３ｃ  第２コイル、  ２ｂ、７ｄ  フィルタコンデンサ、  １３ｈ  結合コンデンサ、  ５ｂ、１２ａ、１２ｂ、１２ｃ、１２ｄ、１３ａ  ＭＯＳＦＥＴ、  ７a  スイッチング素子、  ５ｃ、７ｃ、１３ｂ  ダイオード、  ９ｂ  補正部、  ９ｃ、１１ｃ  演算部、  ９ｄ、１１ｄ  駆動部、  ９ｆ  入力電圧検出部、  ９ｅ  乗算器、  １１ｂ  電圧検出部、  １１ｇ  ゼロ電流検出部、  ９ｂ１、９ｃ１  検出部、  ９ｂ２、９ｃ２  メモリ、  ９ｂ４  平均値演算部、  １００、１００ａ、１００ｂ  点灯装置、  ２００、２００ａ、２００ｂ  照明器具
【図１】
2020173913.tif 000003
【図２】
2020173913.tif 000004
【図３】
2020173913.tif 000005
【図４】
2020173913.tif 000006
【図５】
2020173913.tif 000007
【図６】
2020173913.tif 000008
【図７】
2020173913.tif 000009
【図８】
2020173913.tif 000010
【図９】
2020173913.tif 000011
【図１０】
2020173913.tif 000012
【図１１】
2020173913.tif 000013
【図１２】
2020173913.tif 000014
【図１３】
2020173913.tif 000015
【図１４】
2020173913.tif 000016
【図１５】
2020173913.tif 000017